(57)【要約】【課題】  画像通話時、画像入出力ユニットを備えた第１のボディーから音声送受信ユニットを備えた第２のボディーが分離され、第１のボディーを通じて画像を見ながら、第１のボディと無線通信をする第２のボディーを通じて音声通信できる画像通話用分離型携帯端末機及びその作動方法を提供する。【解決手段】  画像受信ユニット、画像出力ユニット、第１の音響入力ユニット、第１の音響出力ユニット及び第１の情報入力ユニットを備えた第１のボディーと、第２の情報入力ユニット、第２の音響入力ユニット及び第２の音響出力ユニットを備え、第１のボディーにスライド式に装着されると共に、第１のボディーから分離される第２のボディーと、第２のボディーが第１のボディーから分離されることを防止するロックユニットと、から構成される。【選択図】    図１
2005176371.tif 000002
【特許請求の範囲】
【請求項１】
画像受信ユニット、画像出力ユニット、第１の音響入力ユニット、第１の音響出力ユニット及び第１の情報入力ユニットを備えた第１のボディーと、
第２の情報入力ユニット、第２の音響入力ユニット及び第２の音響出力ユニットを備え、前記第１のボディーにスライド式に装着されると共に、前記第１のボディーから分離される第２のボディーと、
前記第２のボディーが前記第１のボディーから分離されることを防止するロックユニットと、
から構成されることを特徴とする携帯端末機。
【請求項２】
前記第１のボディーの一面には、前記第２のボディーが装着される装着部が形成されることを特徴とする請求項１に記載の携帯端末機。
【請求項３】
前記装着部は、前記第２のボディーのサイズ及び形状に合うように所定の深さに凹入形成されることを特徴とする請求項２に記載の携帯端末機。
【請求項４】
前記第２のボディーがスライド式に装着されるように、前記装着部の両側壁に所定長さの案内レールが形成され、該案内レールとマッチングされるように、前記第２のボディーの両側面に案内溝が形成されることを特徴とする請求項３に記載の携帯端末機。
【請求項５】
前記ロックユニットは、
前記装着部の一側壁に形成された第１のロックホールと、
前記第２のボディーの一側面に第２のボディーの内部に陷入可能に突出形成され、前記第２のボディーが前記案内レールに沿って前記第１のボディーから分離される方向にスライドされる時、前記第２のボディーの一部が前記第１のボディーの外周面の外部に露出された状態に前記第２のボディーが前記第１のボディーにロックされるように、前記第１のロックホールに挿入されるストッパーと、からなることを特徴とする請求項４に記載の携帯端末機。
【請求項６】
前記第１のボディーの外部に一部分が露出されるように前記第１のロックホールに設置され、前記ストッパーが前記第１のロックホールから解除されるように前記ストッパーに垂直接触力を加える第１の解除ボタンをさらに備えることを特徴とする請求項５に記載の携帯端末機。
【請求項７】
前記ロックユニットは、前記第２のボディーが前記第１のボディーの外周面の外部に露出されずに前記装着部に完全装着されるように前記装着部の一側壁に前記ストッパーが挿入固定される第２のロックホールを含むことを特徴とする請求項５に記載の携帯端末機。
【請求項８】
前記第１のボディーの外部に一部分が露出されるように前記第２のロックホールに設置され、前記ストッパーが前記第２のロックホールから解除されるように前記ストッパーに垂直接触力を加える第２の解除ボタンをさらに備えることを特徴とする請求項７に記載の携帯端末機。
【請求項９】
前記第２の情報入力ユニット及び第２の音響入力ユニットが露出されるように前記第２のボディーが前記第１のボディーにロックされることを特徴とする請求項５に記載の携帯端末機。
【請求項１０】
前記ストッパーが前記第１のロックホールから分離される時、前記第２のボディーは前記第１のボディーから分離されることを特徴とする請求項５に記載の携帯端末機。
【請求項１１】
前記ストッパーの突出断面は、半球面に形成されることを特徴とする請求項５に記載の携帯端末機。
【請求項１２】
前記第１の解除ボタンの一面には前記第１のボディーの回路ユニットと連結される格子型端子が形成され、該第１の解除ボタンの格子型端子と当接する前記ストッパーの一面には前記第２のボディーの回路ユニットと連結される格子型端子が形成されることにより、前記第１のボディーと前記第２のボディー間に信号が伝達されるように構成されることを特徴とする請求項６に記載の携帯端末機。
【請求項１３】
前記ロックユニットは、
前記第２のボディーの案内溝が形成された一側面に凹入形成された第１の掛止溝と、
前記第２のボディーが前記第１のボディーにスライド式に装着される方向に前記第１の掛止溝より上側に凹入形成された第２の掛止溝と、
前記装着部の一側壁に設置され、前記第２のボディーが前記案内レールに沿って前記第１のボディーから分離される方向にスライドされる時、前記第１及び第２の掛止溝に掛かる掛止部材と、からなることを特徴とする請求項４に記載の携帯端末機。
【請求項１４】
前記掛止部材は、
前記第１のボディーの外部から垂直力を加え得るように一部分が第１のボディーの外部に露出されたボタン部と、
前記第２のボディーが前記第１のボディーに掛かるように前記第１及び第２の掛止溝に挿入されるフック部と、
前記ボタン部とフック部間にそれら２つと一体に形成され、中心に突出形成されて前記装着部の側壁に挿入設置される回転軸を中心に前記ボタン部に垂直力が加えられると、前記フック部が前記第１及び第２の掛止溝から解除されるように回動する作動アームと、
前記回転軸に装着され、前記作動アームに復元弾性力を付加するコイルスプリングと、から構成されることを特徴とする請求項１３に記載の携帯端末機。
【請求項１５】
前記第２のボディーが前記第１のボディーに装着される方向にスライドされる時、前記第１及び第２の掛止溝と当接するフック部の面及び該フック部の面と当接する前記第１及び第２の掛止溝の面は、それぞれ曲線形態に形成されることを特徴とする請求項１４に記載の携帯端末機。
【請求項１６】
前記第１の掛止溝に前記フック部が掛かった時、前記第１のボディーの外周面の外部に前記第２のボディーの一部分が露出されることを特徴とする請求項１３に記載の携帯端末機。
【請求項１７】
前記第２のボディーの第２の情報入力ユニット及び第２の音響入力ユニットが外部に露出されることを特徴とする請求項１６に記載の携帯端末機。
【請求項１８】
前記第２の掛止溝に前記フック部が掛かった時、前記第１のボディーの外周面の外部に前記第２のボディーが露出されないように完全装着されることを特徴とする請求項１３に記載の携帯端末機。
【請求項１９】
前記画像受信ユニットは、前記第１のボディー部の一側に回動可能に設置されることを特徴とする請求項１に記載の携帯端末機。
【請求項２０】
前記画像受信ユニットは、カメラモジュール及びフラッシュを備えることを特徴とする請求項１９に記載の携帯端末機。
【請求項２１】
前記第１のボディーと第２のボディーが分離される時に前記２つのボディー間に無線通信ができるように、前記第１のボディー及び２ボディーにそれぞれ無線通信モジュールが設置されることを特徴とする請求項１に記載の携帯端末機。
【請求項２２】
前記無線通信モジュールを通した無線通信方式は、ブルートゥース方式、赤外線方式、または無線周波数方式のうちいずれか１つであることを特徴とする請求項２１に記載の携帯端末機。
【請求項２３】
前記画像出力ユニットを通して前記第１の情報入力ユニットから入力される情報によって画像が主画像と補助画像に分割出力されることを特徴とする請求項１に記載の携帯端末機。
【請求項２４】
受信側及び送信側の画像が前記画像出力ユニットを通して分割出力されることを特徴とする請求項２３に記載の携帯端末機。
【請求項２５】
画像受信ユニット、画像出力ユニット、第１の音響入力ユニット、第１の音響出力ユニット及び第１の情報入力ユニットを備えた第１のボディーと、
第２の情報入力ユニット、第２の音響入力ユニット及び第２の音響出力ユニットを備え、前記第１のボディーにスライド式に装着されると共に、前記第１のボディーから分離される第２のボディーと、
前記第２のボディーの第２の情報入力ユニット、第２の音響入力ユニット及び第２の音響出力ユニットが外部に露出されないように前記第２のボディーを前記第１のボディーに完全装着させるか、または、前記第２のボディーの第２の情報入力ユニット及び第２の音響入力ユニットが外部に露出されるように前記第２のボディーを前記第１のボディーに部分的に装着させるロックユニットと、
から構成されることを特徴とする携帯端末機。
【発明の詳細な説明】
【技術分野】
【０００１】
本発明は、画像通話用分離型携帯端末機及びその作動方法に関し、より詳細には、画像入出力ユニットを備えた第１のボディーから音声送受信ユニットを備えた第２のボディーが分離されて、前記第１のボディーを通じて画像を見ながら、前記第１のボディーと無線通信をする前記第２のボディーを通じて音声通信できる画像通話用分離型携帯端末機及びその作動方法に関する。
【背景技術】
【０００２】
一般的に、携帯端末機は、無線音声通信機器として使用されてきたが、その活用分野の多様化につれて、インターネットを通したマルチメディアサービスの提供だけでなく、最近は、携帯端末機に装着されたカメラによる被写体の静止画像及び動画像の撮影、さらに、カメラを通した通話相手との画像通信など、その使用領域が徐々に拡大している。
【０００３】
しかしながら、広く使用されている折り畳み型携帯端末機を含む既存の携帯端末機は、カメラを装着して画像通信をする時、相手の画像を出力するディスプレーユニットが音声を送受信する音声送受信ユニットと一体に装着されるため、相手を見ると同時に相手の音声を聞く、円滑な画像通信のためには、大音量のスピーカーまたはイヤマイクフォンを使用する不便さがあった。
【０００４】
前述したような問題点を解決するために、本出願人は、大韓民国特許公開番号第２００３−００４１６１４号に記載された画像通話用携帯端末機を発明した。詳しくは、液晶画面部及びカメラ部を含む統合モジュール部が端末機本体から分離可能に形成され、前記統合モジュール部が前記端末機本体から分離された時、ケーブルを利用して端末機本体と統合モジュール部を連結させることにより、相手を見ながら画像通信できる携帯端末機を提案した。しかしながら、この発明も、ケーブルを利用して端末機本体と統合モジュール部を連結しなければならないという不便さがあり、これに伴う携帯性の問題点があった。
【特許文献１】大韓民国特許公開番号第２００３−００４１６１４号
【発明の開示】
【発明が解決しようとする課題】
【０００５】
本発明は、上述の従来技術の問題点を解決するものであり、本発明の目的は、画像入出力ユニットを備えた第１のボディーから音声送受信ユニットを備えた第２のボディーが分離され、前記第１のボディーを通じて画像を見ながら、前記第１のボディと無線通信をする前記第２のボディーを通じて音声通信できる画像通話用分離型携帯端末機及びその作動方法を提供することにある。
【課題を解決するための手段】
【０００６】
このような目的を達成するための本発明による画像通話用分離型携帯端末機は、画像受信ユニット、画像出力ユニット、第１の音響入力ユニット、第１の音響出力ユニット及び第１の情報入力ユニットを備えた第１のボディーと、第２の情報入力ユニット、第２の音響入力ユニット及び第２の音響出力ユニットを備え、前記第１のボディーにスライド式に装着されると共に、前記第１のボディーから分離される第２のボディーと、前記第２のボディーが前記第１のボディーから分離されることを防止するロックユニットと、から構成されることを特徴とする。
【０００７】
このような目的を達成するための本発明による画像通話用分離型携帯端末機の作動方法は、画像受信ユニット、画像出力ユニット、第１の音響入力ユニット、第１の音響出力ユニット及び第１の情報入力ユニットを備えた第１のボディーと、第２の情報入力ユニット、第２の音声受信ユニット及び第２の音声出力ユニットを備え、前記第１のボディーにスライドされるように装着されると共に前記第１のボディーから分離される第２のボディーと、該第２のボディーの第２の情報入力ユニット、第２の音響入力ユニット及び第２の音響出力ユニットが外部に露出されないように前記第２のボディーを前記第１のボディーに完全装着させるか、または、前記第２のボディーの第２の情報入力ユニット及び２音響入力ユニットが外部に露出されるように前記第２のボディーを前記第１のボディーに部分的に装着させるロックユニットと、から構成される携帯端末機の作動方法において、前記第１のボディーと前記第２のボディーの相互分離可否を感知する第１段階と、前記第１段階で、前記第１のボディーと前記第２のボディーが分離されることを感知すると、前記第１のボディー及び前記第２のボディーが無線通信される第２段階と、を含むことを特徴とする。
【０００８】
従って、本発明は、以下を提供する：
１．  画像受信ユニット、画像出力ユニット、第１の音響入力ユニット、第１の音響出力ユニット及び第１の情報入力ユニットを備えた第１のボディーと、
第２の情報入力ユニット、第２の音響入力ユニット及び第２の音響出力ユニットを備え、前記第１のボディーにスライド式に装着されると共に、前記第１のボディーから分離される第２のボディーと、
前記第２のボディーが前記第１のボディーから分離されることを防止するロックユニットと、
から構成されることを特徴とする携帯端末機。
２．  前記第１のボディーの一面には、前記第２のボディーが装着される装着部が形成されることを特徴とする項目１に記載の携帯端末機。
３．  前記装着部は、前記第２のボディーのサイズ及び形状に合うように所定の深さに凹入形成されることを特徴とする項目２に記載の携帯端末機。
４．  前記第２のボディーがスライド式に装着されるように、前記装着部の両側壁に所定長さの案内レールが形成され、該案内レールとマッチングされるように、前記第２のボディーの両側面に案内溝が形成されることを特徴とする項目３に記載の携帯端末機。
５．  前記ロックユニットは、
前記装着部の一側壁に形成された第１のロックホールと、
前記第２のボディーの一側面に第２のボディーの内部に陷入可能に突出形成され、前記第２のボディーが前記案内レールに沿って前記第１のボディーから分離される方向にスライドされる時、前記第２のボディーの一部が前記第１のボディーの外周面の外部に露出された状態に前記第２のボディーが前記第１のボディーにロックされるように、前記第１のロックホールに挿入されるストッパーと、からなることを特徴とする項目４に記載の携帯端末機。
６．  前記第１のボディーの外部に一部分が露出されるように前記第１のロックホールに設置され、前記ストッパーが前記第１のロックホールから解除されるように前記ストッパーに垂直接触力を加える第１の解除ボタンをさらに備えることを特徴とする項目５に記載の携帯端末機。
７．  前記ロックユニットは、前記第２のボディーが前記第１のボディーの外周面の外部に露出されずに前記装着部に完全装着されるように前記装着部の一側壁に前記ストッパーが挿入固定される第２のロックホールを含むことを特徴とする項目５に記載の携帯端末機。
８．  前記第１のボディーの外部に一部分が露出されるように前記第２のロックホールに設置され、前記ストッパーが前記第２のロックホールから解除されるように前記ストッパーに垂直接触力を加える第２の解除ボタンをさらに備えることを特徴とする項目７に記載の携帯端末機。
９．  前記第２の情報入力ユニット及び第２の音響入力ユニットが露出されるように前記第２のボディーが前記第１のボディーにロックされることを特徴とする項目５に記載の携帯端末機。
１０．  前記ストッパーが前記第１のロックホールから分離される時、前記第２のボディーは前記第１のボディーから分離されることを特徴とする項目５に記載の携帯端末機。
１１．  前記ストッパーの突出断面は、半球面に形成されることを特徴とする項目５に記載の携帯端末機。
１２．  前記第１の解除ボタンの一面には前記第１のボディーの回路ユニットと連結される格子型端子が形成され、該第１の解除ボタンの格子型端子と当接する前記ストッパーの一面には前記第２のボディーの回路ユニットと連結される格子型端子が形成されることにより、前記第１のボディーと前記第２のボディー間に信号が伝達されるように構成されることを特徴とする項目６に記載の携帯端末機。
１３．  前記ロックユニットは、
前記第２のボディーの案内溝が形成された一側面に凹入形成された第１の掛止溝と、
前記第２のボディーが前記第１のボディーにスライド式に装着される方向に前記第１の掛止溝より上側に凹入形成された第２の掛止溝と、
前記装着部の一側壁に設置され、前記第２のボディーが前記案内レールに沿って前記第１のボディーから分離される方向にスライドされる時、前記第１及び第２の掛止溝に掛かる掛止部材と、からなることを特徴とする項目４に記載の携帯端末機。
１４．  前記掛止部材は、
前記第１のボディーの外部から垂直力を加え得るように一部分が第１のボディーの外部に露出されたボタン部と、
前記第２のボディーが前記第１のボディーに掛かるように前記第１及び第２の掛止溝に挿入されるフック部と、
前記ボタン部とフック部間にそれら２つと一体に形成され、中心に突出形成されて前記装着部の側壁に挿入設置される回転軸を中心に前記ボタン部に垂直力が加えられると、前記フック部が前記第１及び第２の掛止溝から解除されるように回動する作動アームと、
前記回転軸に装着され、前記作動アームに復元弾性力を付加するコイルスプリングと、から構成されることを特徴とする項目１３に記載の携帯端末機。
１５．  前記第２のボディーが前記第１のボディーに装着される方向にスライドされる時、前記第１及び第２の掛止溝と当接するフック部の面及び該フック部の面と当接する前記第１及び第２の掛止溝の面は、それぞれ曲線形態に形成されることを特徴とする項目１４に記載の携帯端末機。
１６．  前記第１の掛止溝に前記フック部が掛かった時、前記第１のボディーの外周面の外部に前記第２のボディーの一部分が露出されることを特徴とする項目１３に記載の携帯端末機。
１７．  前記第２のボディーの第２の情報入力ユニット及び第２の音響入力ユニットが外部に露出されることを特徴とする項目１６に記載の携帯端末機。
１８．  前記第２の掛止溝に前記フック部が掛かった時、前記第１のボディーの外周面の外部に前記第２のボディーが露出されないように完全装着されることを特徴とする項目１３に記載の携帯端末機。
１９．  前記画像受信ユニットは、前記第１のボディー部の一側に回動可能に設置されることを特徴とする項目１に記載の携帯端末機。
２０．  前記画像受信ユニットは、カメラモジュール及びフラッシュを備えることを特徴とする項目１９に記載の携帯端末機。
２１．  前記第１のボディーと第２のボディーが分離される時に前記２つのボディー間に無線通信ができるように、前記第１のボディー及び２ボディーにそれぞれ無線通信モジュールが設置されることを特徴とする項目１に記載の携帯端末機。
２２．  前記無線通信モジュールを通した無線通信方式は、ブルートゥース方式、赤外線方式、または無線周波数方式のうちいずれか１つであることを特徴とする項目２１に記載の携帯端末機。
２３．  前記画像出力ユニットを通して前記第１の情報入力ユニットから入力される情報によって画像が主画像と補助画像に分割出力されることを特徴とする項目１に記載の携帯端末機。
２４．  受信側及び送信側の画像が前記画像出力ユニットを通して分割出力されることを特徴とする項目２３に記載の携帯端末機。
２５．  画像受信ユニット、画像出力ユニット、第１の音響入力ユニット、第１の音響出力ユニット及び第１の情報入力ユニットを備えた第１のボディーと、
第２の情報入力ユニット、第２の音響入力ユニット及び第２の音響出力ユニットを備え、前記第１のボディーにスライド式に装着されると共に、前記第１のボディーから分離される第２のボディーと、
前記第２のボディーの第２の情報入力ユニット、第２の音響入力ユニット及び第２の音響出力ユニットが外部に露出されないように前記第２のボディーを前記第１のボディーに完全装着させるか、または、前記第２のボディーの第２の情報入力ユニット及び第２の音響入力ユニットが外部に露出されるように前記第２のボディーを前記第１のボディーに部分的に装着させるロックユニットと、
から構成されることを特徴とする携帯端末機。
【発明の効果】
【０００９】
本発明は、画像出力ユニットを備えた第１のボディー及び該第１のボディーからスライド式に装着または分離できる第２のボディーから構成される画像通話用分離型携帯端末機を提供することによって、従来技術による携帯端末機と同一の機能を実現すると共に、画像通信時に前記第２のボディーを前記第１のボディーから容易に分離させて、前記第１のボディーの画像出力ユニットを通じて画像通信をしながら、同時に前記第２のボディーを利用して音声通信ができるという効果がある。
【００１０】
また、前記第２のボディーが前記第１のボディーから分離された時、前記第１のボディーと第２のボディー間に無線で通信が行われることにより、相互通信のための追加的なケーブルが必要なくなる。合わせて、静かな通話をすべきである場合、従来技術のようにイヤマイクフォンを使用する煩わしさ無しに、前記第１のボディーから分離された前記第２のボディーを利用して音声通信ができるので、より簡便に相手と画像通話が可能になる。
【発明を実施するための最良の形態】
【００１１】
以下、図面に基づいて、本発明による画像通話用分離型携帯端末機の実施形態を詳細に説明する。
【００１２】
図１は、本発明による画像通話用分離型携帯端末機の第１のボディーと第２のボディーが分離された様子を示す正面図で、図２は、本発明による画像通話用分離型携帯端末機において、第２のボディーの一部分が露出されるように第２のボディーが第１のボディーに装着された様子を示す正面図である。また、図３ないし図９は、本発明の第１実施形態による携帯端末機を示し、図１０ないし図１２は、本発明の第２実施形態による携帯端末機を示す。
【００１３】
図示されたように、本発明による画像通話用分離型携帯端末機は、第１のボディー１１０と、該第１のボディー１１０にスライド式に装着されると共に、第１のボディー１１０から分離される第２のボディー１２０と、該第２のボディー１２０が第１のボディ１１０ーから分離されることを防止するロックユニット(locking unit)１５０及び１６０と、から構成される。
【００１４】
第１のボディー１１０は、携帯端末機の各種情報を表示し、カメラを利用した被写体の撮影時に被写体の像を表示し、画像通信時に相手が伝送する画像を表示する画像出力ユニット１１４と、該画像出力ユニット１１４を囲むようにプラスチックで射出成形されるケース１１１と、画像出力ユニット１１４が形成されたケース１１１の一面に形成されて相手の音声などの各種音響を拡大出力し得る第１の音響出力ユニット１１６と、使用者の音声などの各種音響を入力するように、画像出力ユニット１１４が形成されたケース１１１の一面に形成された第１の音響入力ユニット１１７と、被写体が撮影できるように矢印１６０の方向に回動軸１１５ｄを中心に回動可能にケース１１１の上段に装着された画像受信ユニット１１５と、からなる。
【００１５】
また、第１のボディー１１０には、画像出力ユニット１１４に表示される画像を制御し、着信及び発信時に通話を開始及び終了するように画像出力ユニット１１４の下段にキーパッドから構成された第１の情報入力ユニット１１３が形成される。
【００１６】
画像受信ユニット１１５は、前述したように、回転軸１１５ｄを中心に回動しながら被写体の像を静止画像または動画像で撮影するカメラモジュール１１５ａ及び暗い場所における撮影を補助するフラッシュ１１５ｂから構成される。
【００１７】
ここで、画像出力ユニット１１４は、第１の情報入力ユニット１１３を利用した画像モード選択によって画像を分割出力する。即ち、図示されたように、画像出力ユニット１１４の全般にかけた主領域１１４ａに表示される第１の画像と画像出力ユニット１１４の一側に小さく形成される補助領域１１４ｂに表示される第２の画像に分けられて、画像通話時に相手の画像を主領域１１４ａに出力すると同時に相手に伝送される自身の画像を補助領域１１４ｂを通じて出力する。または、逆に、主領域１１４ａを通じて自身の画像を出力し、補助領域１１４ｂを通じて相手の画像を出力することもできる。
【００１８】
第２のボディー１２０は、アドレス帳を作成するか、通話相手の電話番号を入力するなどの各種情報を入力し、第１のボディーから分離されるときに通話を開始及び終了するようにキーパッドから構成された第２の情報入力ユニット１２２と、該第２の情報入力ユニット１２２を囲むようにプラスチックによって射出成形されるケース１２１と、該ケース１２１の上段に形成されて相手の音声などの各種音響を出力する第２の音響出力ユニット１２３と、ケース１２１の下段に形成されて使用者の音声などの各種音響を入力する第２の音響入力ユニット１２４と、から構成される。
【００１９】
また、このような多様なユニットが形成された第２のボディー１２０のケース１２１の後面には、前記携帯端末機に電源を供給する外装バッテリー１２５が装着される。あわせて、第１のボディー１１０にも内装バッテリー(図示せず)が設置されて第２のボディー１２０が第１のボディー１１０から分離されたとき、第１のボディー１１０に電源を供給する。
【００２０】
また、第１のボディー１１０及び第２のボディー１２０には、それぞれ無線通信モジュールが設置される。即ち、第１のボディー１１０の一側には、内部に設置された無線通信モジュールと連結された第１の無線信号交換端子１２７が形成され、第２のボディー１２０の一側にも、第１の無線信号交換端子１２７と通信可能に内部に設置された無線通信モジュールと連結された第２の無線信号交換端子１２８が形成される。これによって、第２のボディー１２０が第１のボディー１１０から分離された時、第１及び第２の無線信号交換端子１２７、１２８を通じて相互無線通信が可能になる。
【００２１】
前記無線通信モジュールを通した無線通信は、ブルートゥース方式、赤外線(ＩｒＤＡ)方式、無線周波数(Radio Frequency: ＲＦ)方式のうちいずれか一つを利用することが望ましい。
以下、本発明の第１実施形態による画像通話用分離型携帯端末機、特に、第２のボディー１２０が第１のボディー１１０にスライド式に装着及び分離される結合構造に対して詳細に説明する。
【００２２】
図３ないし図６に示すように、第２のボディー１２０が第１のボディー１１０にスライド式に装着されるために、第１のボディー１１０の一面には第２のボディー１２０が装着される装着部(mounting portion)１１１ａが形成される。装着部１１１ａは、第２のボディー１２０のサイズ及び形態にマッチングされ、さらに、第２のボディー１２０が第１のボディー１１０に装着された時、全体厚さがあまり厚くならないように第１のボディー１１０の一面に所定深さで凹入形成されることが望ましい。
【００２３】
装着部１１１ａの両側壁には、第２のボディー１２０がスライドされる方向に所定長さの案内レール(guiding rail)１２６ａが突出形成され、第２のボディー１２０が案内レール１２６ａに沿って第１のボディー１１０にスライド式に装着できるように第２のボディー１２０の両側面に案内レール１２６ａとマッチングされる所定長さの案内溝(guidinggroove)１２６ｂが形成される。
【００２４】
本発明の第１実施形態による携帯端末機のロックユニット１５０は、案内レール１２６ａが形成された装着部１１１ａの一側壁に形成された第１のロックホール(a locking hole)１４０ａと、第２のボディー１２０の一側面に内部に陷入可能に突出形成され、第２のボディー１２０が案内レール１２６ａに沿ってスライドされる時、第２のボディー１２０の一部が第１のボディー１１０の外周面の外部に露出された状態に第２のボディー１２０が第１のボディー１１０にロックされるように、第１のロックホール１４０ａに挿入されるストッパー１４１と、から構成される。
【００２５】
即ち、図示されたように、ストッパー１４１が第１のロックホール１４０ａにロックされると、第２のボディー１２０の第２の情報入力ユニット１２２及び第２の音響入力ユニット１２４が外部に露出されるように第２のボディー１２０が第１のボディー１１０に装着される。このとき、第２の情報入力ユニット１２２のうち、通話を開始及び終了する入力部１２２ａ、１２２ｂは露出されないようにすることが望ましい。
【００２６】
図７に示すように、ストッパー１４１は、第２のボディー１２０の一側面の内部に陷入可能に構成される。即ち、ストッパー１４１は、第２のボディー１２０のケース１２１の一側面に形成された貫通孔１４２に設置されて、一部分が第２のボディー１２０の外面に露出される突出カバー１４４と、該突出カバー１４４の一面と連結され、貫通孔１４２の内部にケース１２１と一体に形成されたスプリング設置壁１４８に安着し、所定の圧縮変位を有する圧縮スプリング１４３と、から構成される。
【００２７】
また、突出カバー１４４が貫通孔１４２の内壁に支持されると共に、圧縮スプリング１４３が安着するように突出カバーの外周面に一体に１４４ｃが形成され、圧縮スプリング１４３が安着される設置壁１４８の一面には安着溝１４８ｂが形成される。該安着溝１４８ｂの中心には、貫通孔１４８ａが形成されて第２のボディー１２０の内部に設置された回路ユニットと連結された回路線１４７が通過する通路となる。回路線１４７は、圧縮スプリング１４３を通過して突出カバー１４４の一面と連結される。
【００２８】
前述したように構成されたストッパー１４１は、外部から突出カバー１４４に垂直力が加えられると、第２のボディー１２０の内部に陷入され、外部垂直力が除去されると、元来の状態に戻って第２のボディー１２０の外部に突出される。
【００２９】
ここで、第１のロックホール１４０ａには、第１のボディー１１０の外部で操作可能に、一部が第１のボディー１１０の外部に露出されるようにストッパー１４１を第１のロックホール１４０ａから解除させる第１の解除ボタン(first release button)１４７ａが設置される。
【００３０】
即ち、第１の解除ボタン１４７ａは、ストッパー１４１が第１のロックホール１４０ａに挿入されると、ストッパー１４１の突出カバー１４４と面接触をするようになる。このとき、第１の解除ボタン１４７ａによってストッパー１４１の突出カバー１４４に垂直接触力が加えられると、ストッパー１４１は、第１のロックホール１４０ａから解除され、結局、第２のボディー１２０は、第１のボディー１１０から分離される。
【００３１】
ロックユニット１５０は、第２のボディー１２０が第１のボディー１１０の外周面に露出されずに第１のボディー１１０に完全装着されるように、案内レール１２６ａが形成された装着部１１１ａの一側壁に形成された第２のロックホール１４０ｂをさらに含む。第２のボディー１２０が第１のボディー１１０に完全装着される時、ストッパー１４１は、第２のロックホール１４７ｂに挿入固定される。
【００３２】
さらに、第２のロックホール１４０ｂには、ストッパー１４１を第２のロックホール１４０ｂから解除させるように第２の解除ボタン(second release button)１４７ｂが設置される。第２の解除ボタン１４７ｂは、第１の解除ボタン１４７ａと同様に、第１のボディー１１０の外部で操作可能に、一部が第１のボディー１１０の外部に露出されるように設置される。第２の解除ボタン１４７ｂによってストッパー１４１に垂直接触力が加えられることにより、ストッパー１４１の突出カバー１４４は、第２のボディー１２０の内部に陷入される。それによって、ストッパー１４１は、第２のロックホール１４０ｂから解除され、結局、案内レール１２６ａに沿って第２のボディー１２０はスライド可能になる。
【００３３】
このとき、ストッパー１４１の突出カバー１４４の形状は、第１のロックホール１４０ａ及び第２のロックホール１４０ｂの掛止部分に掛かって離脱しづらくなる現象を防止するために曲率半径の大きい球形に形成されることが望ましい。
【００３４】
また、第１の解除ボタン１４７ａの一面には、第１のボディー１１０の内部に設置された回路ユニットと連結される格子型端子１４９ａが形成され、第１の解除ボタン１４７ａの格子型端子１４９と所定の接触力を有して当接するストッパー１４１の一面にも、第２のボディー１２０の内部に設置された回路ユニットと連結される格子型端子１４６が形成される。
【００３５】
即ち、図７ないし図９に示すように、ストッパー１４１の突出カバー１４４の突出面に、信号部１４６ａ及び信号部１４６ａ間を絶縁する絶縁部１４６ｂからなる格子型端子１４６が形成され、該信号部１４６ａは、信号線１４７によって第２のボディー１２０の内部に設置された回路ユニットと連結される。また、ストッパー１４１の格子型端子１４６と対応するように第１の解除ボタン１４７ａの一面にも信号部１４９ａ及び信号部１４９ａ間を絶縁する絶縁部１４９ｂからなる格子型端子１４９が形成され、信号部１４９ａは、第１のボディー１１０の内部に設置された回路ユニットと連結される。これによって、ストッパー１４１が第１のロックホール１４０ａ内に挿入されて第１の解除ボタン１４７ａと所定の接触力を有して接触することによって、第１のボディー１１０と第２のボディー１２０間に有線によって通信信号が交換される。
【００３６】
また、第１の解除ボタン１４７ａの格子型端子１４９及びストッパー１４１の格子型端子１４６が相互接触した状態では、前述したようにそれぞれの信号部１４６ａ、１４９ａを通じて通信信号が交換されるだけでなく、第１のボディー１１０と第２のボディー１２０の接続可否を認識して第２のボディー１２０の装着及び分離の制御に必要な情報が交換される。
【００３７】
これと共に、第２のロックホール１４０ｂに設置された第２の解除ボタン１４７ｂの一面にも、前述したような形態の格子型端子(図示せず)が形成され、第２の解除ボタン１４７ｂの格子型端子とストッパー１４１の格子型端子１４６の接触可否によって第２のボディー１２０と第１のボディー１１０の完全装着可否が判断される。
【００３８】
また、図示されていないが、装着部１１１ａの一側壁には、第１のロッキングホール１４０ａより上側に第２のボディー１２０がスライドされる方向に第２のボディー１２０に弾性力を付加する板スプリングのような弾性部材が追加的に設置されることが望ましい。このとき、前記弾性部材と接触される第２のボディー１２０の一側面は、第２のボディー１２０が第１のボディー１１０に完全装着されるか、または、第１のロッキングホール１４０ａにロックされる時、前記弾性部材によって充分の弾性力を受けることができる構造に形成されることが望ましい。
【００３９】
以下、本発明の第２実施形態による画像通話用分離型携帯端末機、特に、第１のボディーが第２のボディーにスライド式に装着及び分離される結合構造に対して詳細に説明する。
以下の説明において、本発明の第１実施形態による携帯端末機の構造と同一構造に対しては、同一番号を付与する。
【００４０】
図１０ないし図１２は、本発明の第２実施形態による画像通話用分離型携帯端末機のロックユニットを示す。
【００４１】
本発明の第２実施形態による携帯端末機のロックユニット１６０は、第２のボディー１２０の案内溝１２６ｂが形成された一側面に凹入形成された第１の掛止溝(first hooking groove)１５１ａと、第２のボディー１２０の案内溝１２６ｂが形成された一側面に凹入形成され、第２のボディー１２０が第１のボディー１１０にスライドして装着される方向に第１の掛止溝１５１ａより上側に位置する第２の掛止溝(secondhooking groove)１５１ｂと、装着部１１１ａの一側壁に設置され、第２のボディー１２０が案内レール１２６ａに沿って第１のボディー１１０から分離される方向にスライドされる時、第１及び第２の掛止溝１５１ａ、１５１ｂに掛かる掛止部材(hookingmember)１５２と、から構成される。
【００４２】
図１２に示すように、掛止部材１５２は、第１のボディー１１０の外部から垂直力を加えることができるように、一部分が第１のボディー１１０の外部に露出されたボタン部１５２ａと、第２のボディーが第１のボディーに掛かるように第１及び第２の掛止溝１５１ａ、１５１ｂに挿入されるフック部１５２ｃと、ボタン部１５２ａとフック部１５２ｃ間にその２つと一体に形成され、その中心に突出形成されて装着部１１１ａの側壁に挿入設置される回転軸１５２ｄを中心に、ボタン部１５２ａに垂直力が加えられると、フック部１５２ｃが第１及び第２の掛止溝１５１ａ、１５１ｂから解除されるように回動する作動アーム１５２ｂと、からなる。また、回転軸１５２ｄにはコイルスプリング(図示せず)が装着されて作動アーム１５２ｂに復元弾性力を付加する。これによって、掛止部材１５２は、常に原位置、即ち、装着部１１１ａの側壁と一直線になる位置に復帰するようになる。
【００４３】
第２のボディー１２０が第１のボディー１１０に装着される方向にスライドされる時、掛止部材１５２のフック部１５２ｃが第１及び第２の掛止溝１５１ａ、１５１ｂと当接する面は、第２のボディー１２０の装着に邪魔にならないように緩慢な曲線形態に形成される。また、これと反対に、第２のボディー１２０が第１のボディー１１０から分離される方向にスライドされる時、掛止部材１５２のフック部１５２ｃが第１の掛止溝１５１ａまたは第２の掛止溝１５１ｂに掛かることにより、第２のボディー１２０が第１のボディー１１０に固定される。このとき、第１の掛止溝１５１ａに掛止部材１５２のフック部１５２ｃが掛かると、第１のボディー１１０の外周面に第２のボディー１２０の一部分、特に、第２のボディー１２０の一面に形成された第２の情報入力ユニット１２２及び第２の音響入力ユニット１２４が外部に露出されるようになる。また、第２のボディー１２０が第１のボディー１１０に装着されるようにスライドされて第２の掛止溝１５１ｂに掛止部材１５２のフック部１５２ｃが掛かると、第１のボディー１１０の外周面の外部に第２のボディー１２０が露出されないように、第２のボディー１２０は、第１のボディー１１０に完全装着される。
【００４４】
前述したように、第２のボディー１２０が第１のボディー１１０に固定された状態を解除させるために、掛止部材１５２のボタン部１５２ａに垂直力を加えると、掛止部材１５２のフック部１５２ｃは、前記回転軸を中心にボタン部１５２ａの回動方向と反対方向に回動しながら第１及び第２の掛止溝１５１ａ、１５１ｂから解除される。このとき、第２のボディー１２０を手で把持して第１のボディー１１０から分離される方向にスライドさせると、第１のボディー１１０と第２のボディー１２０は分離される。
【００４５】
また、第２のボディー１２０の一側面には、第２のボディー１２０の内部に設置された回路ユニットと連結される第１の外部端子１５８が形成され、該第１の外部端子１５８と接触されるように第１のボディー１１０の装着部１１１ａの一側面には、第１のボディー１１０の内部に設置された回路ユニットと連結される第２の外部端子１５７ａ及び第３の外部端子１５７ｂが形成される。
【００４６】
第２のボディー１２０の第１の掛止溝１５１ａが掛止部材１５２によって掛かって第２のボディー１２０の一部が露出されるように第１のボディー１１０に固定されると、第２のボディー１２０の第１の外部端子１５８と第１のボディー１１０の第２の外部端子１５７ａが接触するようになる。前述したような外部端子１５８、１５７ａの接触を通じて第１のボディー１１０と第２のボディー１２０間に通信信号が交換される。
【００４７】
さらに、第２のボディー１２０の第１の外部端子１５８と第１のボディー１１０の第２の外部端子１５７ａが相互接触した状態では、前述したように通信信号が交換されるだけでなく、第１のボディー１１０と第２のボディー１２０の接続可否を認識して第２のボディー１２０の装着及び分離の制御に必要な情報が交換される。
【００４８】
これと共に、第２のボディー１２０が第１のボディー１１０に完全装着されると、即ち、掛止部材１５２が第２の掛止溝１５７ｂに掛かると、第２のボディー１２０の第１の外部端子１５８と第１のボディー１１０の第３の外部端子１５７ｂが相互接触するようになる。このとき、第１のボディー１１０と第２のボディー１２０間の完全装着可否が判断される。
【００４９】
前述したように、第１のボディー１１０と第２のボディー１２０間の接続可否の判断及び有線を通した通信交換のための外部端子の形成位置は、多様に変化できる。
【００５０】
このような構成を有する本発明による画像通話用分離型携帯端末機の作動方法に対して説明する。以下説明する作動方法は、前述した本発明による携帯端末機のいずれか１つの実施形態に限定されることではない。より詳細には、第２のボディー及び第１のボディーに分離／装着させるロッキングユニット、及び前記第１のボディーと第２のボディー間の相互有線データ通信に必要な接続端子の特定実施形態に対して限定されない。
【００５１】
本発明による携帯端末機の画像通信は、第１のボディー１１０と第２のボディー１２０が分離された状態でも可能であり、従来技術のの画像通話用端末機と同様に、イヤマイクフォンを利用して第１及び第２のボディー１１０、１２０が分離されない状態でも可能である。
【００５２】
従って、第１のボディー１１０と第２のボディー１２０との分離可否の判断によって本発明の携帯端末機の作動方法が変わる。
【００５３】
まず、本発明による画像通話用分離型携帯端末機の作動方法は、第１のボディー１１０と第２のボディー１２０との分離可否を感知する第１段階を経る。第１段階で、第１のボディー１１０から第２のボディー１２０が分離されたことが感知されると、第１のボディー１１０と第２のボディー１２０の相互間に無線で通信される第２段階が行われる。
【００５４】
即ち、基地局から通信信号が着信されるか、基地局に通信信号を発信する時、第１のボディー１１０の画像出力ユニット１１４を通じて画像通話であることを確認した後、第２のボディー１２０を第１のボディー１１０から分離させる。このとき、第１段階を通じて第１のボディー１１０と第２のボディー１２０が分離されたことが感知され、このときから第２段階のように第１のボディー１１０の第１の無線信号交換端子１２７及び第２のボディー１２０の第２の無線信号交換端子１２８を通じて相互間に無線でデータを交換する。分離された第２のボディー１２０の第２の情報入力ユニット１２２において通話ボタン１１２ｂを押すことによって相手との通話が行われる。このとき、第１のボディー１１０の画像分割出力可能な画像出力ユニット１１４を通じて出力される相手及び使用者の画像を通じて画像通信をし、第２のボディー１２０の第２の音響入力ユニット１２４及び第２の音響出力ユニット１２３を通じて音声通信をする。
【００５５】
このように、第１のボディー１１０から第２のボディー１２０が分離された状態では、第１のボディー１１０は基地局と通信し、第２のボディー１２０は第１のボディー１１０と無線通信のみをすることが望ましい。逆に、第２のボディー１２０を通じて基地局と通信をし、第１のボディー１１０は第２のボディー１２０と無線通信を通じてデータを交換することも可能である。
【００５６】
このような第１のボディー１１０と第２のボディー１２０間の無線通信は、ブルートゥース方式、赤外線(ＩｒＤＡ)方式または無線周波数(ＲＦ)方式のうちいずれか１つを利用して行われることが望ましい。
【００５７】
また、第１段階で、第１のボディー１１０から第２のボディー１２０が分離されなかったことが感知されると、第１のボディー１１０と第２のボディー１２０は、相互に有線を通じて信号を交換するようになる。
【００５８】
このような本発明の携帯端末機の作動方法は、通常以下のような場合に利用される。
【００５９】
第１は、第２のボディー１２０が第１のボディー１１０の外周面に露出されないように完全装着されている状態で、第１のボディー１１０の第１の情報入力ユニット１１３の通話ボタン１１３ａを押した後、第１のボディー１１０の画像出力ユニット１１４を通じて画像通信をしながら、同時に第１のボディー１１０の第１の音響出力ユニット１１６を通じて流れる拡大された相手の音声を聞くと共に、第１の音響入力ユニット１１７を通じて使用者の音声を伝達する音声通信をする場合である。
【００６０】
第２は、第２のボディー１２０が第１のボディー１１０に完全装着された状態で、第１の音響出力ユニット１１６と第１の音響入力ユニット１１７を通じて音声通信のみを行う場合である。
【００６１】
第３は、第２の情報入力ユニット１２２及び第２の音響入力ユニット１２４が外部に露出されるように第２のボディー１２０が第１のボディー１１０に固定装着されている状態で、第１の音響出力ユニット１１６と第２の音響入力ユニット１２４を通じて音声通信のみを行う場合である。
【００６２】
勿論、前記第３の場合も、第１の場合と同様に、画像出力ユニット１１４を通じて画像通信をしながら、同時に第１のボディー１１０の第１の音響出力ユニット１１６を通じて流れる拡大された相手の音声を聞くと共に、第２のボディー１２０の第２の音響入力ユニット１２４を通じて使用者の音声を伝達する音声通信が可能である。
【００６３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６４】
【図１】本発明による画像通話用分離型携帯端末機の第１のボディーと第２のボディーが分離された様子を示す正面図である。
【図２】本発明による画像通話用分離型携帯端末機において、第２のボディーの一部分が露出されるように第２のボディーが第１のボディーに装着された様子を示す正面図である。
【図３】本発明の第１実施形態による携帯端末機の第１のボディーの斜視図である。
【図４】本発明の第１実施形態による携帯端末機の第２のボディーの斜視図である。
【図５】本発明の第１実施形態による携帯端末機のロックユニットの斜視図である。
【図６】図５を他方向から見た斜視図である。
【図７】本発明の第１実施形態によるストッパーを拡大図示した側断面図である。
【図８】本発明の第１実施形態によるストッパーを拡大図示した正面図である。
【図９】本発明の第１実施形態による第１のロックホールを拡大図示した正面図である。
【図１０】本発明の第２実施形態による携帯端末機のロックユニットの斜視図である。
【図１１】図１０を他方向から見た斜視図である。
【図１２】本発明の第２実施形態による携帯端末機の掛止部材の一部拡大図である。＜符号の説明＞１００：携帯端末機１１０：第１のボディー１１３：第１の情報入力ユニット１１４：画像出力ユニット１１５：画像受信ユニット１１６：第1音響出力ユニット１１７：第１の音響入力ユニット１２０：第２のボディー１２２：第２の情報入力ユニット１２３：第２の音響出力ユニット１２４：第２の音響入力ユニット１２７：第１の無線信号交換端子１２８：第２の無線信号交換端子１４０ａ：第１のロックホール１４０ｂ：第２のロックホール１４１：ストッパー１４７ａ：第1解除ボタン１４７ｂ：第２の解除ボタン１５０、１６０：ロックユニット１５１ａ：第1ロック溝１５１ｂ：第２のロック溝１５２：掛止部材
【図１】
2005176371.tif 000003
【図２】
2005176371.tif 000004
【図３】
2005176371.tif 000005
【図４】
2005176371.tif 000006
【図５】
2005176371.tif 000007
【図６】
2005176371.tif 000008
【図７】
2005176371.tif 000009
【図８】
2005176371.tif 000010
【図９】
2005176371.tif 000011
【図１０】
2005176371.tif 000012
【図１１】
2005176371.tif 000013
【図１２】
2005176371.tif 000014